【事件の表示】
　特許第６３６０１２１号発明「遊技機」の特許異議申立事件について、次のとおり決定する。
【結　論】
　特許第６３６０１２１号の請求項１に係る特許を維持する。
【理　由】
１　手続の経緯
　特許第６３６０１２１号（以下「本件特許」という。）の請求項１に係る特許についての出願は、平成２３年１０月２８日に出願した特願２０１１−２３７８７５号の一部を平成２８年１０月７日に新たな特許出願としたものであり、平成３０年６月２９日にその特許権の設定登録がされ、同年７月１８日に特許掲載公報が発行され、その後、平成３１年１月１８日に特許異議申立人日本電動式遊技機特許株式会社により特許異議の申立てがされたものである。
２　本件発明
　本件特許の請求項１に係る発明（以下「本件発明」という。）は、特許請求の範囲の請求項１に記載された事項により特定される次のとおりのものである（当審において請求項１をＡ〜Ｈに分説した。）。
「【請求項１】
Ａ　各々が識別可能な複数種類の識別情報を変動表示可能な可変表示部に表示結果を導出させることが可能な可変表示装置を備える遊技機であって、
Ｂ　前記遊技機に関する情報を表示するための表示パネルと、
Ｃ　演出表示が可能な演出表示面に対し立設された立設部と、
Ｄ　前記表示パネルを後方側から照射可能な照明装置と、
Ｅ　前記表示パネルを設置するために前記可変表示部よりも下方位置に設けられ、前記演出表示面よりも前方に突出して形成された表示パネル設置部と、
　を備え、
Ｆ　前記表示パネルは、下部から上部に向けて前記遊技機の後方側に傾斜するように前記表示パネル設置部の前面に設置され、
Ｇ　前記表示パネル設置部の前面及び当該表示パネル設置部に設置された前記表示パネルよりも後方で、かつ該表示パネル設置部の左右側に、前方を向く発光部が設けられており、
Ｈ　前記立設部は前記演出表示面に表示された画像を反射表示可能な反射表示部を含むことを特徴とする遊技機。」
３　特許異議申立理由の概要
　特許異議申立人日本電動式遊技機特許株式会社は、証拠方法として甲第１〜５号証を提出し、本件発明は、甲第１〜３号証に記載された事項及び周知技術（甲第４〜５号証）に基づいて、当業者が容易に発明をすることができたものであり、本件特許は特許法第２９条第２項の規定に違反してされたものであるから、同法第１１３条第２号の規定により取り消されるべきものである旨主張する。
＜証拠方法＞
　甲第１号証：特開２００５−３２８８９８号公報
　甲第２号証：特開２００５−２８７７１６号公報
　甲第３号証：特開２００４−２４４４８号公報
　甲第４号証：特開２００５−１８５４７３号公報（周知技術を示す文献）
　甲第５号証：特開２００９−２１３５７８号公報（周知技術を示す文献）
４　甲各号証の記載
（１）甲第１号証
　甲第１号証（特開２００５−３２８８９８号公報）には、以下の事項が記載されている。
（１−ａ）「【発明が解決しようとする課題】
【０００６】
　しかしながら、液晶表示装置は、一般的にスロットマシンの前面側に固設されているものであるので、回胴や化粧パネルなどの多くの部材によりその大きさが規制されて、小型のものしか設けることができない。ゲーム性を向上させると液晶表示装置にて実行される演出の内容が高度なものとなるが、小型の液晶表示装置にて高度な演出を実行する、即ち多量の画像情報を表示すると画像情報の視認性を低下させてしまうという問題点があった。言い換えれば、演出内容の向上と画像情報の視認性との両立が困難であるという問題点があった。更には、遊技者は個々に体型や視界がまちまちであるので、スロットマシンに画一的に固設された液晶表示装置では、遊技者全てに良好な視認性を提供することは困難であるという問題点があった。
【０００７】
　液晶表示装置を可動可能に形成すれば、他の部材による制限が小さくなり液晶表示装置の大画面化による視認性の改善、更には配設位置の調節などが望めるが、液晶表示装置の移動経路や移動範囲が安易に設定されていると、遊技場に設けられた島設備などと接触するなどの不具合が生じてしまうという問題点があった。
【０００８】
　本発明は、上述した問題点を解決するためになされたものであり、表示手段における演出内容の向上と画像情報の視認性とを両立することができる上、移動される表示手段と他の装置との接触を回避することのできる遊技機を提供することを目的としている。」
（１−ｂ）「【００１４】
　以下、スロットマシン遊技機（以下、単に「スロットマシン」という）の一実施形態を、図面に基づいて詳細に説明する。図１は、スロットマシン１０の前面扉３が閉じた状態を示した斜視図であり、図２は、そのスロットマシン１０の前面扉３が開いた状態を示した斜視図である。図１及び図２を参照して、スロットマシン１０の全体構成について説明する。
スロットマシン１０
【００１５】
　本体２の内部には、図２に示すように、
各種の図柄等が表示され回転可能に構成された回胴Ｌ，Ｍ，Ｒと、
（１−ｃ）「【００２３】
　前面扉３は前面枠４によりその外形が形成されており、前面枠４は、枠部材視認部４ａと枠部材操作部４ｂと枠部材貯留部４ｃとに３分割されて構成されている。前面扉３の上段部（前面枠４の枠部材視認部４ａ）には、図１に示すように、遊技の進行に伴って点灯・点滅する上部ランプ１１及びサイドランプ８０、遊技の進行に伴って種々の効果音等を発生するスピーカ１２，１２、
左回胴Ｌと中回胴Ｍと右回胴Ｒとをそれぞれ透視可能な露出窓１４Ｌ，１４Ｍ，１４Ｒ
ベットランプ１５，１６，１６，１７，１７
【００２４】
　また、枠部材視認部４ａの幅方向の両端部には、液晶表示装置１３の上下方向への移動をガイドするための２の支柱８１，８１が設けられている。支柱８１，８１は、枠部材視認部４ａの両端部において前方へ向かって突設された側壁を架台とし、その側壁の正面側にビス止めにより固設されている。支柱８１，８１は、それぞれ、各サイドランプ８０，８０の下方から前面扉３の中段部（前面枠４の枠部材操作部４ｂ）に到達するまで、枠部材視認部４ａの側壁の傾斜に沿って延設されている。また、支柱８１は、正面側に配設される正面部材８１ａと、その正面部材に連設される２の側面部材８１ｂと、正面部材８１ａの対向面に配設され、側壁（前面扉３）に固設される背面部材８１ｃとにより中空の角柱状に形成されている。
　・・・
【００２７】
　また、
各支柱８１
穿設口８１ｅが貫通形成されている。各支柱８１のそれぞれに形成される穿設口８１ｅには、液晶表示装置１３を支持する支持軸８２が貫入される。
（１−ｄ）「【００３５】
　また、前面扉３の中段部（前面枠４の枠部材操作部４ｂ）には、前面扉３を装飾する化粧パネル１１０が連設されている。化粧パネル１１０は、
機種名や遊技に関わるキャラクタ等（目視にて視認することのできる視覚情報）が表示された表示プレート３１
【００３６】
　更に、
化粧パネル１１０は、裏面プレート１１１と表示プレート３１との隙間に２本の蛍光灯１０３（１０３ａ，１０３ｂ）を内包している
（１−ｅ）「【００５５】
　
液晶表示装置１３にて実行される演出は、遊技状態に応じて各種用意されており、
　・・・
【００７７】
　次に図８から図１０を参照して、第４の実施の形態において説明する。第１の実施の形態においては、スロットマシン１０は、枠部材視認部４ａに液晶表示装置１３を備えたが、第４の実施の形態においては、スロットマシンは、化粧パネル１１０の背面側に液晶表示装置を備えるとともに、化粧パネル１１０を開放することにより、液晶表示装置をスロットマシンの前面側に露出するように構成されている。尚、第１の実施の形態と同じ部分には同じ符号を付し、その説明を省略する。」
（１−ｆ）「【００８６】
　尚、表示プレート３１に表示される視覚情報は、遊技者がスロットマシン３１０を選択する場合に必要な機種名等であるので、遊技者が遊技を開始した場合、即ちスロットマシン３１０の選択が終了することにより不要な情報となる。このため、化粧パネル１１０が開放され、表示プレート３１が下側に配設されても、何ら問題が生じることはない。そして、本実施の形態のスロットマシン３１０では、遊技を開始する遊技者にとってより必要性の高い情報であるスロットマシン３１０のルールや役の表示や、遊技者に興趣を付与するべく遊技の演出が実行される（遊技の演出に関する画像情報が表示される）液晶表示装置２００が、化粧パネル１１０の開放により本体の前面側に現出する。
　・・・
【００８９】
　間隙１１５に収納される液晶表示装置２００は、樹脂製のケース体２００ａに液晶画面２００ｂと、その液晶画面２００ｂに対する光源であるバックライトと、表示する画像（視覚情報）を制御する制御装置（表示用制御装置２１０、図１０参照）とを備えた一般的な液晶表示装置である。この液晶表示装置２００は、スロットマシン３１０の幅方向が長辺となる正面視略長方形に形成された２の画面部２０１，２０２を備えている。各画面部２０１，２０２のそれぞれには、液晶画面２００ｂが（化粧パネル１１０が開放された場合）ケース体の前面側に露出するように配設されている。」
（１−ｇ）段落【００３６】には、「化粧パネル１１０は、裏面プレート１１１と表示プレート３１との隙間に２本の蛍光灯１０３（１０３ａ，１０３ｂ）を内包している」と記載されているから、裏面プレート１１は、蛍光灯１０３を介してその前面に表示プレート３１を設置するものといえる。
　また、図１には、裏面プレート１１１を内包する化粧パネル１１０が、露出窓４Ｌ、１４Ｍ、１４Ｒよりも下方位置に設けられている点が示されている。
　さらに、図３には、化粧パネル１１０が液晶表示装置１３よりも前方に突出して形成される点が示されており、化粧パネル１１０には、裏面プレート１１１が内包されるから、裏面プレート１１１も液晶表示装置２００よりも前方に突出して形成されているといえる。
　よって、甲第１号証には、
前記表示プレート３１を設置するために前記露出窓１４Ｌ、１４Ｍ、１４Ｒよりも下方位置に設けられ、液晶表示装置１３よりも前方に突出して形成された裏面プレート１１１
（１−ｈ）図１には、表示プレート３１が、上下方向を向く起立姿勢で設置されている点が示されている。また、上記（１−ｇ）から、表示プレート３１は、裏面プレート１１１の前面に設置されるものといえる。
　よって、甲第１号証には、
表示プレート３１は、上下方向を向く起立姿勢で、裏面プレート１１１の前面に設置され
　以上の記載によれば、甲第１号証には以下の発明（以下「甲１発明」という。）が記載されていると認められる。
「ａ　各種の図柄等が表示され回転可能に構成された回胴Ｌ、Ｍ、Ｒと、当該回胴Ｌ、Ｍ、Ｒを透視可能な露出窓１４Ｌ、１４Ｍ、１４Ｒとを備えるスロットマシン１０であって（段落【００１４】、【００１５】、【００２３】）、
ｂ　機種名や遊技に関わるキャラクタ等が表示された表示プレート３１と（段落【００３５】）、
ｃ　遊技状態に応じた演出を実行可能な液晶表示装置１３の支持軸８２を貫入する穿設口８１ｅが形成された支柱８１と（段落【００２７】、【００５５】）、
ｄ　表示プレート３１と裏面プレート１１１との隙間に設けられた蛍光灯１０３と（段落【００３６】）、
ｅ　前記表示プレート３１を設置するために前記露出窓１４Ｌ、１４Ｍ、１４Ｒよりも下方位置に設けられ、液晶表示装置１３よりも前方に突出して形成された裏面プレート１１１と（認定事項（１−ｇ））、
　を備え、
ｆ　前記表示プレート３１は、上下方向を向く起立姿勢で、裏面プレート１１１の前面に設置されたスロットマシン１０（認定事項（１−ｈ））。」
（２）甲第２号証
　甲第２号証（特開２００５−２８７７１６号公報）には、以下の事項が記載されている。
「【００９８】
　図１ないし図３に示すように、
表示装置５は
表示画面５ａ
を備えている。
　・・・
【０１００】
　さらに、
パチンコ機１
　・・・
【０１０４】
　次に反射部について説明する。
　本実施形態では、図１ないし図５に示すように、表示装置５の近傍に反射部１００が配置されており、図５のように、
表示装置５の表示が反射部１００に映されるように構成され
（３）甲第３号証
　甲第３号証（特開２００４−２４４４８号公報）には、以下の事項が記載されている。
（３−ａ）「【００３４】
操作部ユニット３０は、操作部ユニット基部３１、遊技情報を表示するための画像表示装置（図示せず）、
表示窓３２
　・・・
【００３６】
サイドランプユニット５０は、サイドレンズカバー５１、そのサイドレンズカバー５１に内蔵されたＬＥＤユニット、ＬＥＤ用基板、コネクタ（ともに図示せず）、装飾用レンズ１００（１００Ａから１００Ｃ）等の各種複数個の機能部材をそれぞれユニット化してなる。これら
サイドランプユニット５０は、
左右両方向から挟むように
取り付けるものである。
　・・・
【００５８】
化粧パネル７１は、
スロットマシン１０の機種名や製造元名等の固定情報を照明表示させる
（３−ｂ）図１、２には、
表示窓３２を下部から上部にかけてスロットマシン１０の後方側に傾斜するように配置し、当該表示窓３２の左右側にサイドランプユニット５０を設けた
（４）甲第４号証
　甲第４号証（特開２００５−１８５４７３号公報）には、以下の事項が記載されている。
（４−ａ）「【００２２】
　図１〜図７に示すように、本実施形態の
封入球式遊技機１００
　・・・
【００３３】
　前面機能体として遊技者に遊技情報を表示するタッチパネル表示ユニット１５１は、その表示面を斜め上方に傾斜した状態で、表示部取付部材１６５を介して取付枠体１５９に取り付けられている。すなわち、
タッチパネル表示ユニット１５１の表示面の下部が前寄りになり且つタッチパネル表示ユニット１５１の表示面の上部が後ろ寄りになるように、タッチパネル表示ユニット１５１の表示面が傾斜している
（４−ｂ）図１、２、７には、
タッチパネル表示ユニット１５１を、下部から上部にかけて後方側に傾斜するように設置する
（５）甲第５号証
　甲第５号証（特開２００９−２１３５７８号公報）には、以下の事項が記載されている。
（５−ａ）「【００１６】
　なお、本実施形態においては、
遊技機１
【００１７】
　図３は、右側のサイドランプユニット８の分解斜視図、図４は、トップランプユニット７の分解斜視図、図５は、前扉３の右上隅部の拡大斜視図である。サイドランプユニット８は、
前扉３の両側縁
基板８２、８３に実装される光源をなす複数の発光ダイオード８４、８５
　・・・
【００２１】
　下側の
レンズ８７
発光ダイオード８５の光によって裏側から照射される
（５−ｂ）図１、２には、
前扉３よりも後方で前扉３の左右側にレンズ８７を斜めに設けた
５　当審の判断
（１）対比
　本件発明と甲１発明とを対比する（下記の見出しの（ａ）〜（ｆ）は甲１発明の構成に対応している。）。
（ａ）甲１発明の「露出窓１４Ｌ、１４Ｍ、１４Ｒ」、「回胴Ｌ、Ｍ、Ｒ」は、それぞれ、本件発明の「可変表示部」、「可変表示装置」に相当する。
　よって、甲１発明の「各種の図柄等が表示され回転可能に構成された回胴Ｌ、Ｍ、Ｒと、当該回胴Ｌ、Ｍ、Ｒを透視可能な露出窓１４Ｌ、１４Ｍ、１４Ｒとを備えるスロットマシン１０」は、本件発明の「各々が識別可能な複数種類の識別情報を変動表示可能な可変表示部に表示結果を導出させることが可能な可変表示装置を備える遊技機」に相当する。
（ｂ）甲１発明の「遊技機に関する情報」について、本件特許の明細書の段落【０００７】には「前記遊技機に関する情報とは、例えば、遊技機の機種名（タイトル）や型式、あるいは、遊技に関連する演出画像や演出部材、装飾図柄、役構成や大当り図柄の組合わせ等を含む。」と記載されている。
　よって、甲１発明の「機種名や遊技に関わるキャラクタ等が表示された表示プレート３１」は、本件発明の「遊技機に関する情報を表示するための表示パネル」に相当する。
（ｃ）甲１発明において、支柱８１には液晶表示装置１３の支持軸８１が貫入しているから、支柱８１は液晶表示装置１３の表示面に対して立設されているといえる。
　よって、甲１発明の「遊技状態に応じた演出を実行可能な液晶表示装置１３の支持軸８２を貫入する穿設口８１ｅが形成された支柱８１」は、本件発明の「演出表示が可能な演出表示面に対し立設された立設部」に相当する。
（ｄ）甲１発明の「表示プレート３１」は、本件発明の「表示パネル」に相当する。
　また、甲１発明の「蛍光灯１０３」は、表示プレート３１と裏面プレート１１１との隙間に設けられているから、表示プレート３１を後方から照射可能であることは明らかである。
　よって、甲１発明の「表示プレート３１と裏面プレート１１１との隙間に設けられた蛍光灯１０３」は、本件発明の「表示パネルを後方側から照射可能な照明装置」に相当する。
（ｅ）甲１発明の「裏面プレート１１１」は、本件発明の「表示パネル設置部」に相当する。
　よって、甲１発明の「前記表示プレート３１を設置するために前記露出窓１４Ｌ、１４Ｍ、１４Ｒよりも下方位置に設けられ、液晶表示装置１３よりも前方に突出して形成された裏面プレート１１１」は、本件発明の「前記表示パネルを設置するために前記可変表示部よりも下方位置に設けられ、前記演出表示面よりも前方に突出して形成された表示パネル設置部」に相当する。
（ｆ）甲１発明の「表示プレート３１」が「裏面プレート１１１の前面に設置され」た点は、本件発明の「表示パネル」が「表示パネル設置部の前面に設置され」た点に相当する。
　よって、甲１発明の「前記表示プレート３１は、上下方向を向く起立姿勢で、裏面プレート１１１の前面に設置され」た点と、本件発明の「前記表示パネルは、下部から上部に向けて前記遊技機の後方側に傾斜するように前記表示パネル設置部の前面に設置され」た点とは、「前記表示パネルは、」「前記表示パネル設置部の前面に設置され」た点で共通する。
　したがって、本件発明の甲１発明とは、
「Ａ　各々が識別可能な複数種類の識別情報を変動表示可能な可変表示部に表示結果を導出させることが可能な可変表示装置を備える遊技機であって、
Ｂ　前記遊技機に関する情報を表示するための表示パネルと、
Ｃ　演出表示が可能な演出表示面に対し立設された立設部と、
Ｄ　前記表示パネルを後方側から照射可能な照明装置と、
Ｅ　前記表示パネルを設置するために前記可変表示部よりも下方位置に設けられ、前記演出表示面よりも前方に突出して形成された表示パネル設置部と、
　を備え、
Ｆ’　前記表示パネルは、前記表示パネル設置部の前面に設置された遊技機。」
である点で一致し、以下の点で相違する。
［相違点１］
　表示パネルに関して、本件発明は、「下部から上部に向けて前記遊技機の後方側に傾斜するように」設置されるのに対し、甲１発明は、「上下方向を向く起立姿勢で」設置される点（構成Ｆ）。
［相違点２］
　本件発明は、「前記表示パネル設置部の前面及び当該表示パネル設置部に設置された前記表示パネルよりも後方で、かつ該表示パネル設置部の左右側に、前方を向く発光部が設けられて」いるのに対し、甲１発明は、そのように構成されていない点（構成Ｇ）。
［相違点３］
　本件発明は、「前記立設部は前記演出表示面に表示された画像を反射表示可能な反射表示部を含む」のに対し、甲１発明は、そのように構成されていない点（構成Ｈ）。
（２）判断
　上記相違点について検討する。
ア　［相違点１］について
　甲第３号証には、機種名や製造元名等の固定情報を表示する化粧パネル７１を有するスロットマシン１０において、表示窓３２を下部から上部にかけてスロットマシン１０の後方側に傾斜するように設置し、当該表示窓３２の左右側にサイドランプユニット５０を設けた点が記載されている（段落【００３４】、【００３６】、【００５８】、図１、２参照、以下「甲３記載の事項」という。）。
　甲第４号証には、タッチパネル表示ユニット１５１を下部から上部にかけて封入式遊技機１００の後方側に傾斜するように設置する点が記載されている（段落【００２２】、【００３３】、図１、２、７参照、以下「甲４記載の事項」という。）。
　しかしながら、甲３記載の事項の「表示窓３２」及び甲４記載の事項の「タッチパネル表示ユニット１５１」は、いずれも遊技機に関する情報、すなわち、遊技機の機種名（タイトル）や型式等の情報を表示するものではないから、本件発明の「表示パネル」に相当するものではない。
　よって、甲３記載の事項の「表示窓３２」及び甲４記載の事項の「タッチパネル表示ユニット１５１」の構造を引用発明の表示プレート３１に適用する動機付けがないから、引用発明の表示プレート３１（表示パネル）を「下部から上部に向けて遊技機の後方側に傾斜するように」設置することは当業者が容易になし得たこととはいえない。
　そして、本件発明は、上記相違点１に係る構成（構成Ｆ）により、「タイトルパネル設置部２１０は、表示手段であるタイトルパネル２１２を下部から上部に向けてスロットマシン１の奥行き側（背面側）に傾斜するように設置可能であることで、遊技者が遊技を行う際に最も注目される透過領域５１ｂよりも下方位置にタイトルパネル設置部２１０が配設されていても、タイトルパネル２１２は上部が奥行き側に傾倒して設けられることで、タイトルパネル２１２の上方位置からの視認性が高まるため、遊技者は遊技を行いながら遊技に関する情報を目視することができる。また、スロットマシン１の手前に着座していない遊技者からも見えやすくなるため、興味を引き付けることが可能となる。」（段落【００９５】）という効果を奏するものであり、当該効果は、甲１発明、甲３記載の事項及び甲４記載の事項から予測し得るものではない。
　特許異議申立人日本電動式遊技機特許株式会社は、構成Ｆに関して、甲第１号証には、段落【００８９】、図９、１０に基づいて、「液晶画面２００ｂは、下部から上方に向けてスロットマシン３１０の後方側に傾斜するように、ケース体２００ａの前面に設置され」た構成が記載されていると主張する（特許異議申立書第１６頁第１７〜２１行）。
　しかしながら、「液晶画面２００ｂ」を備える液晶表示装置は、化粧パネル１１０の背面側に設けられたものであるとともに、化粧パネル１１０を開放することにより液晶表示装置をスロットマシンの前面側に露出するように構成されている（段落【００７７】）。
　また、「液晶画面２００ｂ」を備える液晶表示装置は、ルールや役の表示や、遊技者に興趣を付与するべく遊技の演出が実行されるものであって（段落【００８６】）、化粧パネル１１０が開放されたことで下側に配置されることになる表示プレート３１に表示される遊技機の機種名（タイトル）や型式等の情報を表示するものではない。
　したがって、甲第１号証に記載された「液晶画面２００ｂ」は、本件発明の「表示パネル」に相当するものではないから、上記甲第１号証の記載は、本件発明の構成Ｆを開示するものとはいえない。
　さらに、特許異議申立人日本電動式遊技機特許株式会社は、構成Ｆは、甲３記載の事項及び甲４記載の事項に記載されている周知技術に過ぎないと主張する（特許異議申立書第４４頁第１２〜２０行）。
　しかしながら、遊技機の表示部を下部から上部にかけて遊技機の後方側に傾斜するように設置することが周知技術であったとしても、先に検討したとおり、周知技術の表示部の構造を引用発明の表示プレート３１に適用する動機付けがないから、引用発明の表示プレート３１（表示パネル）を「下部から上部に向けて遊技機の後方側に傾斜するように」設置することが当業者が容易になし得たこととはいえない。
イ　［相違点２］について
　甲３記載の事項には、下部から上部にかけてスロットマシン１０の後方側に傾斜するよう設置した表示窓３２の左右側にサイドランプユニット５０を設けた点が記載されている。
　しかしながら、上記甲３記載の事項には、表示窓３２（表示パネル）の後方にサイドランプユニット５０（発光部）を設けた点は記載されていない。
　また、甲第５号証には、前扉３よりも後方で、前扉３の左右側に発光ダイオード８５の光によって照射されるレンズ８７を斜めに設けた点が記載されている（段落【００１６】、【００１７】、【００２１】、図１、２参照、以下「甲５記載の事項」という。）。
　しかしながら、上記甲５記載の事項には、レンズ８７（発光部）を前方を向くように設けた点は記載されていない。
　したがって、甲３記載の事項及び甲５記載の事項のいずれにも、「表示パネル設置部の前面及び当該表示パネル設置部に設置された表示パネルよりも後方で、かつ該表示パネル設置部の左右側に、前方を向く発光部が設けられ」た点は記載されていない。
　よって、甲１発明に甲３記載の事項及び甲５記載の事項を適用したとしても、「前記表示パネル設置部の前面及び当該表示パネル設置部に設置された前記表示パネルよりも後方で、かつ該表示パネル設置部の左右側に、前方を向く発光部が設けられ」るように構成することが、当業者が容易になし得たこととはいえない。
　そして、本件発明は、上記相違点２に係る構成（構成Ｇ）により、「枠状発光部２５１及び該枠状発光部２５１の外側後方位置に設けられる枠状発光部２５２、２５３を含むことで、枠状発光部２５１〜２５３が枠状に発光することで、前後方向に重畳する２枚の透明パネルにて前面扉１ｂの前面が構成されているように見えるため、遊技者に対しスロットマシン１の奥行き感を与えることができる。」（段落【０１０２】）という効果を奏するものであり、当該効果は、甲１発明、甲３記載の事項及び甲５記載の事項から予測し得るものではない。
　特許異議申立人日本電動式遊技機特許株式会社は、甲第３号証の図１及び図２には、「サイドランプユニット５０が、表示窓３２の前面の上端部分よりも後方であって、表示窓３２の左右側に設置され、これらサイドランプユニット５０のサイドレンズカバー５１の前面側に、光を透過させる部分と想定される１００Ａ、１００Ｂが設けられた」構成が記載されていると主張する（特許異議申立書第３０頁第１９〜２３行）。
　しかしながら、甲第３号証の図１及び図２においては、サイドランプユニット５０は、表示窓３２の前面の上端部分よりも前方に設置されており、表示窓３２の前面の上端部分よりも後方に設置されていると認めることはできない。
　さらに、特許異議申立人日本電動式遊技機特許株式会社は、甲第５号証には、段落【００１７】、【００２１】、図２、３に基づいて、「表示パネルの左右側に、前方を向く発光ダイオード８５が実装された遊技機１」が記載されていると主張する（特許異議申立書第３８頁第１４〜１７行）。
　しかしながら、「発光ダイオード８５」は、段落【００１７】にも記載されているように光源であり、遊技者から直接見えるものではない。
　本件発明の「枠状発光部２５２」（発光部）の効果は、上記のとおり前後方向に重畳する２枚の透明パネルで構成されているように見えるというものであるから、当該効果を参酌すれば、甲第５号証に記載された（遊技者から直接見えない光源である）「発光ダイオード８５」は、本件発明の発光部に相当するとはいえない。
ウ　[相違点３]について
　甲第２号証には、表示装置５の表示画面５ａに表示された画像が映されるように構成された反射部１００を設けたパチンコ機１が記載されている（段落【００９８】、【０１００】、【０１０４】参照、以下「甲２記載の事項」という。）。
　上記甲２記載の事項において、表示画面５ａに表示された画像が反射部１００に映されるためには、図４、５に示されるように表示画面５ａと反射部１００とが連続するように設ける必要がある。
　一方、甲１発明においては、液晶表示装置１３に支持軸８２が設けられているため液晶表示装置１３と支柱８１との間には間隔が空いており、支柱８１には支持軸８２を貫入する穿設口８１ｅが形成されている。さらに、液晶表示装置１３と支柱８１との間にはベッドランプ１５、１６、１７が設けられているため（段落【００２３】、図３）、液晶表示装置１３と支柱８１とを連続するように構成することはできない。
　すなわち、甲１発明は、液晶表示装置１３に設けられた支持軸８２や支柱８１に形成された穿設口８１ｅといった、甲２記載の事項の反射部１００を適用する阻害要因を有しており、当業者といえども、甲１発明の支持軸８２に甲２記載の事項を適用して、液晶表示装置１３の画像が支柱８１に映される構成を採用することが容易に想到できたものとはいえない。
　そして、本件発明は、上記相違点３に係る構成（構成Ｈ）により、「反射面２５５を利用すれば、表示領域５１ａに広がりを持たせることができるので、演出効果を向上させることができる。」（段落【００８６】）という効果を奏するものであり、当該効果は、甲１発明、甲２記載の事項から予測し得るものではない。
　特許異議申立人日本電動式遊技機特許株式会社は、「甲１発明と甲２発明とは、属する技術分野が遊技機という点で共通しており、これら甲１発明と甲２発明とを組合わせることに何ら技術的な阻害要因も存在しない。」と主張する（特許異議申立書第４３頁第２３〜２５行）。
　しかしながら、阻害要因を有することは、先に検討したとおりである。
　以上のことから、本件発明は、甲１発明、甲２記載の事項、甲３記載の事項及び周知技術（甲４記載の事項、甲５記載の事項）に基づいて、当業者が容易に発明をすることができたものとはいえない。
６　むすび
　したがって、特許異議の申立ての理由及び証拠によっては、請求項１に係る特許を取り消すことはできない。　
　また、他に請求項１に係る特許を取り消すべき理由を発見しない。
　よって、結論のとおり決定する。
【異議決定日】
平成３１年４月４日（２０１９．４．４）